(57)【要約】【課題】水解性の吸収性物品であって、体液の漏れを生じにくい吸収性物品を提供すること。【解決手段】トップシートと、バックシートと、トップシート及びバックシートの間に配置された吸収体と、を有する吸収性物品であって、トップシートが、水解性のスパンレース不織布により形成され、バックシートが、身体側表面にサイズプレス処理が施された水解性のスパンレース不織布により形成され、吸収体が、吸収体の身体側表面と接するように配置された半水解性の開口ポリビニルアルコールフィルムと、吸収体の衣類側表面と接するように配置された半水解性のポリビニルアルコールフィルムと、により挟持されている、吸収性物品。【選択図】図１
2017213073.tif 000002
【特許請求の範囲】
【請求項１】
トップシートと、バックシートと、トップシート及びバックシートの間に配置された吸収体と、を有する吸収性物品であって、
トップシートが、水解性のスパンレース不織布により形成され、
バックシートが、身体側表面にサイズプレス処理が施された水解性のスパンレース不織布により形成され、
吸収体が、吸収体の身体側表面と接するように配置された半水解性の開口ポリビニルアルコールフィルムと、吸収体の衣類側表面と接するように配置された半水解性のポリビニルアルコールフィルムと、により挟持されている、吸収性物品。
【請求項２】
半水解性の前記開口ポリビニルアルコールフィルムが、長手方向又は幅方向に平行する断面波状の凹凸を有し、
前記開口ポリビニルアルコールフィルムの身体側表面における凸部に沿って、複数の開口が設けられている、請求項１に記載の吸収性物品。
【請求項３】
吸収体が、吸収性繊維及び高吸収性ポリマーを含み、吸収性繊維及び高吸収性ポリマーの密度が、０．０３ｇ／ｃｍ３以上０．０９ｇ／ｃｍ３以下である、請求項１又は２に記載の吸収性物品。
【請求項４】
トップシート、バックシート、吸収体、開口ポリビニルアルコールフィルム、及びポリビニルアルコールフィルムの、ＪＩＳ  Ｐ  ４５０１に準拠したほぐれやすさが、１００秒以下である、請求項１から３のいずれかに記載の吸収性物品。
【発明の詳細な説明】
【技術分野】
【０００１】
本発明は、水解性を有する軽失禁ライナーや軽失禁パッド等の吸収性物品に関する。
【背景技術】
【０００２】
一般に吸収性物品は、液透過性のトップシートと、液不透過性のバックシートと、トップシート及びバックシートの間に配置された吸収体と、で構成されており、これにより、尿や血液等の体液は、トップシートを通って吸収体に吸収される。この吸収性物品は、想定される使用状況における体液の排出量に応じて、様々な吸収量のものが存在する。これらのうち、比較的少量の排出量の体液を吸収するものとしては、軽失禁ライナーや軽失禁パッド等が知られている。
【０００３】
ところで、軽失禁ライナーや軽失禁パッドにおいては、これを水解性の材料から構成した製品も知られている。これらの水解性の吸収性物品は、使用後にトイレに廃棄することも可能であり、使用後の後処理が容易であるという利点がある。このような水解性の吸収性物品としては、例えば、特許文献１に、トップシートと、バックシートと、トップシート及びバックシートの間に介在する吸収体とを有する吸収性物品において、吸収体と、トップシート及びバックシートとが、吸収性物品の主たる吸収領域において、熱的接合手段により非連続の接合パターンで接合されており、この吸収領域において吸収体とトップシートとが非連続の接合パターンで接合されている部位全体の面積が、この吸収領域の１％から５０％である水解性の吸収性物品が開示されている。
【先行技術文献】
【特許文献】
【０００４】
【特許文献１】特開２００２−０３５０２６号公報
【発明の概要】
【発明が解決しようとする課題】
【０００５】
しかしながら、このような水解性の吸収性物品においては、体液が吸収体やトップシート、バックシート等を伝わりやすく、体液の漏れが生じやすいという問題がある。特に、吸収体が迅速に体液を吸収可能な場合、体液の吸収開始後短時間でバックシートにまで体液が到達するため、吸収した体液がバックシートを崩壊させ、下着等を濡らしてしまうおそれもあった。したがって、本発明は以上の課題に鑑みてなされたものであり、水解性の吸収性物品であって、体液の漏れを生じにくい吸収性物品を提供することを目的とする。
【課題を解決するための手段】
【０００６】
本発明の発明者は、上記課題に鑑み、鋭意研究を行った。その結果、トップシートと、バックシートと、トップシート及びバックシートの間に配置された吸収体と、を有する吸収性物品において、バックシートを、身体側表面にサイズプレス処理が施された水解性のスパンレース不織布で構成するとともに、吸収体を、身体側の半水解性の開口ポリビニルアルコールフィルムと、衣類側の半水解性のポリビニルアルコールフィルムと、により挟持したことにより、上記の課題を解決できることを見出し、本発明を完成するに至った。具体的には、本発明は、以下のものを提供する。
【０００７】
（１）本発明の第１の態様は、トップシートと、バックシートと、トップシート及びバックシートの間に配置された吸収体と、を有する吸収性物品であって、トップシートが、水解性のスパンレース不織布により形成され、バックシートが、身体側表面にサイズプレス処理が施された水解性のスパンレース不織布により形成され、吸収体が、吸収体の身体側表面と接するように配置された半水解性の開口ポリビニルアルコールフィルムと、吸収体の衣類側表面と接するように配置された半水解性のポリビニルアルコールフィルムと、により挟持されている、吸収性物品である。
【０００８】
（２）本発明の第２の態様は、（１）に記載の吸収性物品であって、半水解性の前記開口ポリビニルアルコールフィルムが、長手方向又は幅方向に平行する断面波状の凹凸を有し、前記開口ポリビニルアルコールフィルムの身体側表面における凸部に沿って、複数の開口が設けられていることを特徴とするものである。
【０００９】
（３）本発明の第３の態様は、（１）又は（２）に記載の吸収性物品であって、吸収体が、吸収性繊維及び高吸収性ポリマーを含み、吸収性繊維及び高吸収性ポリマーの密度が、０．０３ｇ／ｃｍ３以上０．０９ｇ／ｃｍ３以下であることを特徴とするものである。
【００１０】
（４）本発明の第４の態様は、（１）から（３）のいずれかに記載の吸収性物品であって、トップシート、バックシート、吸収体、開口ポリビニルアルコールフィルム、及びポリビニルアルコールフィルムの、ＪＩＳ  Ｐ  ４５０１に準拠したほぐれやすさが、１００秒以下であることを特徴とするものである。
【発明の効果】
【００１１】
本発明の吸収性物品は、バックシートを、身体側表面にサイズプレス処理が施された水解性のスパンレース不織布で構成したので、バックシートが排泄された体液に接する身体側表面に耐水能が付与され、吸収体に吸収された体液が、バックシートに到達したとしても、バックシートが崩壊したり、下着を濡らしたりすることを防止できる。一方、バックシートの衣類側表面は、サイズプレス処理が施されていないため、トイレに廃棄した場合には、トイレの洗浄水に接するバックシートの衣類側表面から、バックシートを容易に崩壊させることができる。さらに、本発明においては、吸収体を、身体側の半水解性の開口ポリビニルアルコールフィルムと、衣類側の半水解性のポリビニルアルコールフィルムとで挟持しているので、トップシートを透過した体液が、開口ポリビニルアルコールフィルムで一旦保持されるとともに、吸収体に吸収された体液と、バックシートとの接触も、ポリビニルアルコールフィルムにより防止されるので、体液の吸収体への穏やかな吸収が担保されるとともに、多量の体液がバックシートに到達してバックシートを崩壊させてしまうことがない。したがって、吸収性物品を水解性の材料としながらも、体液の漏れを効果的に防止することができる。
【図面の簡単な説明】
【００１２】
【図１】本発明の吸収性物品の断面模式図を示す図面である。
【図２】トップシートと吸収体との間に配置される開口ポリビニルアルコールフィルムを模式的に示す図面である。
【発明を実施するための形態】
【００１３】
以下、本発明について図面を参照して詳細に説明する。なお、本実施形態の説明においては、全体を通して同じ要素には同じ符号を付している。本明細書における以下の説明において、体液とは、尿、血液、軟便中の水分等の体内から体外に排出される液体をいう。さらに、吸収性物品１の着用時とは、吸収性物品１の装着時及び装着後の少なくとも一方を示す。なお、本明細書の説明において、吸収性物品１の長手方向とは、吸収性物品１が着用されたときに着用者の前後に亘る方向であり、吸収性物品１の幅方向とは、長手方向に対して横又は直交する方向である。さらに、本明細書において、吸収性物品１の身体側表面とは、吸収性物品１の着用時に着用者の肌に当接する表面を指し、衣類側表面とは、吸収性物品１の着用時に着用者の衣類に当接する表面を指す。本明細書においては、吸収性物品１の身体側表面側を上側と称し、衣類側表面側を下側と称することがある。
【００１４】
＜吸収性物品＞
図１は、本発明の吸収性物品１の断面模式図を示す図面である。本発明の吸収性物品１は、トップシート１０と、バックシート３０と、トップシート１０及びバックシート３０の間に配置された吸収体２０と、を有し、吸収体２０は、吸収体２０の身体側表面と接するように配置された半水解性の開口ポリビニルアルコールフィルム１５と、吸収体２０の衣類側表面と接するように配置された半水解性のポリビニルアルコールフィルム２５と、により挟持されているものである。
【００１５】
［トップシート］
トップシート１０は、吸収体２０に向けて体液を速やかに通過させるものであり、吸収体２０を挟んで、バックシート３０と対向して配置されている。トップシート１０は、肌と当接するシートとなることから、柔らかな感触で、肌に刺激を与えないような基材から構成されるが、一方で、水解性を有する必要があるため、水解性のスパンレース不織布を使用することが好ましい。
【００１６】
ここで、水解性の素材については、水中に投棄された後、早急に分解されなければ、浄化槽や配管、下水道に悪影響を与えてしまうことになる。このため、水解性の素材については、できるだけ早期に複数の細かい断片に分散される必要がある。一方、吸収性物品は、一般に一定以上の強度や耐久性を有している必要があり、強度の低下により、使用中に製品が分解してしまったり、破損したりすることも予想される。よって、吸収性物品に使用される水解性の素材については、この水により容易に崩壊する特性を維持しつつも、その強度や耐久性を十分なものとする必要がある。
【００１７】
本発明で用いられる水解性のスパンレース不織布については、繊維同士が熱融着しておらず、ウォータージェット処理により繊維が交絡している。このため、水解性のスパンレース不織布は、水中に投棄され、水流等の外力が加わることにより、容易に崩壊し、水に分散するので、水解性の吸収性物品の構成材料として使用することができる。
【００１８】
本発明において、トップシート１０の坪量は、加工性、強度、水解性の点から、２０ｇ／ｍ２以上４０ｇ／ｍ２以下であることが好ましく、２５ｇ／ｍ２以上３５ｇ／ｍ２以下であることがより好ましい。トップシート１０には、肌への刺激を低減させるために、ローション、酸化防止剤、抗炎症成分、ｐＨ調整剤、抗菌剤、保湿剤等を適用してもよい。トップシート１０は、着用者の股部が位置づけられる長手方向中央に括れ部を有する砂時計形状、略矩形状等の形状を有していてもよく、吸収体２０の側縁よりも若干外方に延在して設けられていてもよい。
【００１９】
［バックシート］
バックシート３０は、吸収体２０側から吸収性物品１の外部に体液が漏れないような遮水性を有するシート材が用いられるが、ムレ防止のために透湿性を有していてもよい。より具体的には、トップシート１０と同様に、水解性のスパンレース不織布が用いられるが、吸収体２０に保持される体液が、バックシート３０を容易に透過したり、バックシート３０を崩壊させたりしないよう、バックシート３０の身体側表面には、サイズプレス処理が施される。一方、バックシート３０の衣類側表面は、サイズプレス処理が施されていないので、吸収性物品１をトイレに投棄した場合には、サイズプレス処理が施されておらず、水と接するバックシート３０の衣類側表面から、バックシート３０が迅速に崩壊し、水中に分散する。
【００２０】
ここで、サイズプレス処理とは、デンプン等の接着剤を不織布の表面に塗布して乾燥させる処理を指す。水解性のスパンレース不織布上の接着剤層により、水解性のスパンレース不織布が、体液中の水分から保護され、バックシート３０の耐水性を維持することができる。サイズプレス処理には、デンプンのほか、一般的な水溶性の接着剤を用いることができる。そのような水溶性接着剤としては、例えば、カチオン化デンプン、酸化デンプン、エステル化デンプン等の加工デンプン、カチオン化ポリビニルアルコール等を挙げることができる。
【００２１】
本発明において、バックシート３０の坪量は、加工性、強度、水解性の点から、２０ｇ／ｍ２以上４０ｇ／ｍ２以下であることが好ましく、２５ｇ／ｍ２以上３５ｇ／ｍ２以下であることがより好ましい。バックシート３０は、着用者の股部が位置づけられる長手方向中央に括れ部を有する砂時計形状、略矩形状等の形状を有していてもよく、吸収体２０の側縁より若干外方に延在して設けられていてもよい。バックシート３０の衣類接触側表面には、着用時に下着等に吸収性物品１を固着するための粘着剤層が設けられていてもよい。吸収性物品１が粘着剤層を有する場合、粘着剤層を保護するための剥離シートを有していてもよく、この剥離シートは、吸収性物品１の包装シートと一体となっていてもよい。トップシート１０及びバックシート３０は、長手方向端部等、端部の少なくとも一部において、吸収体２０を挟まずに、接着剤等により固着されるフラップを形成していてもよい。
【００２２】
［吸収体］
吸収体２０は、基材としての吸収性繊維と、高吸水性ポリマー（以下、ＳＡＰとも称する）と、を含有する。吸収性繊維は、一般に生理用ナプキン、おむつ、尿取りパッド等の吸収性物品に使用されるものであれば特に制限はなく、例えば、フラッフパルプ、コットン、レーヨン、アセテート、ティシュ、吸収紙、親水性不織布等を挙げることができる。これらの中でも、吸収性の観点から、フラッフパルプを使用することが好ましい。斯かるフラッフパルプとしては、木材パルプ、合成繊維、ポリマー繊維、非木材パルプ等を綿状に解繊したものを挙げることができる。
【００２３】
吸収体２０の高吸水性ポリマーとしては、体液を吸収し、かつ、逆流を防止できるものであれば特に制限はなく、ポリアクリル酸ナトリウム系、ポリアスパラギン酸塩系、（デンプン−アクリル酸）グラフト共重合体、（アクリル酸−ビニルアルコール）共重合体、（イソブチレン−無水マレイン酸）共重合体及びそのケン化物等の材料から形成されたものを使用することができる。これらの中でも、重量当たりの吸収量の観点から、ポリアクリル酸ナトリウム系が好ましい。
【００２４】
吸収体２０において、吸収性繊維及びＳＡＰの形態は、吸収性繊維中にＳＡＰ粒子を混合して形成した形態であることが好ましい。吸収体２０は、水に分散しやすいよう、圧縮加工されていないことが好ましい。したがって、吸収性繊維及び高吸収性ポリマーの密度が、０．０３ｇ／ｃｍ３以上０．０９ｇ／ｃｍ３以下であることが好ましく、０．０３ｇ／ｃｍ３以上０．０６ｇ／ｃｍ３以下であることがより好ましい。なお、密度については、尾崎製作所製ピーコックダイヤルゲージを用いて、３４３２Ｐａの荷重下で厚みを測定し、厚みと吸収体面積及び質量より算出する。
【００２５】
吸収体２０は、上層吸収体と下層吸収体とを積層してなるものであってもよい。この場合、上層吸収体と下層吸収体の長手方向及び幅方向の寸法は、上層吸収体の寸法が下層吸収体の寸法より大きくてもよく、上層吸収体の寸法が下層吸収体の寸法と同じであってもよく、上層吸収体の寸法が下層吸収体の寸法より小さくてもよい。
【００２６】
［開口ポリビニルアルコールフィルム及びポリビニルアルコールフィルム］
本発明の吸収性物品１においては、吸収体２０が、吸収体２０の身体側表面に接するように配置された半水解性の開口ポリビニルアルコールフィルム１５と、吸収体２０の衣類側表面に接するように配置された半水解性のポリビニルアルコールフィルム２５と、により挟持されている。このような構成を採用することにより、トップシート１０を透過した体液が、開口ポリビニルアルコールフィルム１５により一旦保持されるので、短時間のうちに、吸収体２０の全体に体液が浸透してしまうことがなく、且つ、吸収体２０の全体に体液が浸透してしまうような場合においても、半水解性のポリビニルアルコールフィルム２５により、体液を吸収した吸収体２０とバックシート３０との接触が遮断されるので、バックシート３０と体液との接触が抑止され、体液によりバックシート３０が崩壊し、体液の漏れが生じることを防止できる。
【００２７】
半水解性の開口ポリビニルアルコールフィルム１５、及び半水解性のポリビニルアルコールフィルム２５の坪量は、５ｇ／ｍ２以上２０ｇ／ｍ２以下であることが好ましく、１０ｇ／ｍ２以上１５ｇ／ｍ２以下であることがより好ましい。開口ポリビニルアルコールフィルム１５及びポリビニルアルコールフィルム２５の坪量を上記の範囲内とすることにより、体液の保持能／遮断能と、フィルムの水への分散性が良好に両立される。
【００２８】
図２は、トップシート１０と吸収体２０との間に配置される開口ポリビニルアルコールフィルム１５を模式的に示す図面である。図２に示すように、半水解性の開口ポリビニルアルコールフィルム１５は、長手方向又は幅方向に平行する断面波状の凹凸を有し、開口ポリビニルアルコールフィルム１５の身体側表面における凸部に沿って、複数の開口１５１が設けられていることが好ましい。複数の開口１５１は、凸部に沿って、規則的又は不規則に配列していることが好ましい。開口ポリビニルアルコールフィルム１５に、長手方向又は幅方向に平行する段面波状の凹凸が設けられ、凸部に沿って開口１５１が設けられていることにより、トップシート１０を透過した体液が、一旦、開口ポリビニルアルコールフィルム１５の凹部により保持され、凹部からあふれ出る体液が、開口１５１を通って吸収体２０側に透過することになる。このため、体液が、短時間のうちに吸収体２０に到達してしまうことがなく、且つ開口ポリビニルアルコールフィルム１５により体液が完全に遮断されて、体液の横漏れ等が生じることも防止できる。
【００２９】
［各素材のほぐれやすさ］
本発明の吸収性物品１においては、トップシート１０、バックシート３０、吸収体２０、開口ポリビニルアルコールフィルム１５、及びポリビニルアルコールフィルム２５の、ＪＩＳ  Ｐ  ４５０１に準拠したほぐれやすさが、１００秒以下であることが好ましい。これらの素材が、上記のようなほぐれやすさの指標を有することにより、トイレ等に投棄された吸収性物品１が迅速に崩壊して、各種素材が水中に分散し、浄化槽や配管、下水道設備に損傷を与えることを防止できる。
【００３０】
＜吸収性物品の製造方法＞
吸収性物品１の製造方法としては、特に限定はなく、従来公知の方法を採用することができる。例えば、トップシート１０とバックシート３０との間に、開口ポリビニルアルコールフィルム１５、ポリビニルアルコールフィルム２５、及び吸収体２０を挟持する。そして、トップシート１０とバックシート３０とを一部又は全周に亘って水解性の接着剤や超音波エンボス、高周波エンボス等を用いて固定することで製造することができる。最後に、これを包装体に個別包装した後、長手方向に３つ折り等にして折り畳めばよい。
【００３１】
以上、本発明を実施形態を用いて説明したが、本発明の技術的範囲は上記の実施形態に記載の発明の範囲には限定されないことは言うまでもなく、上記実施形態に、多様な変更又は改良を加えることが可能であることが当業者に明らかである。また、そのような変更又は改良を加えた形態も本発明の技術的範囲に含まれ得ることが、特許請求の範囲の記載から明らかである。
【符号の説明】
【００３２】
１      吸収性物品
１０    トップシート
１５    開口ポリビニルアルコールフィルム
１５１  開口
２０    吸収体
２５    ポリビニルアルコールフィルム
３０    バックシート
【図１】
2017213073.tif 000003
【図２】
2017213073.tif 000004